(57)【要約】【課題】折り曲げ部を有するストローを取り付けることができ、ペットボトルと別売りではなく、且つペットボトルとは別個に持ち歩く必要のない、ボトルキャップおよびこれを取り付けてなる飲料用ボトルを提供すること。【解決手段】ボトルキャップ本体１６と、ボトルキャップ本体１６の中側の天面に、ボトルキャップ１０をボトル本体に取り付けた際ボトル本体内に入り込むように取り付けられるストロー横架用の架橋部１２とを備える飲料用ボトルのボトルキャップ１０およびこれを取り付けた飲料ボトル２０。【選択図】　　　　図２
2004099051.tif 000002
【特許請求の範囲】
【請求項１】
飲料用ボトルのボトルキャップであって、ボトルキャップ本体と、該ボトルキャップ本体の中側の天面に、該ボトルキャップをボトル本体に取り付けた際ボトル本体内に入り込むように取り付けられるストロー横架用の架橋部とを備えることを特徴とするボトルキャップ。
【請求項２】
前記ストロー横架用の架橋部が、Ｕ字状であることを特徴とする請求項１記載のボトルキャップ。
【請求項３】
請求項１または２記載のボトルキャップを取り付けてなる飲料用ボトル。
【請求項４】
内容積が５００ｍｌのペットボトルである請求項３記載の飲料用ボトル。
【発明の詳細な説明】
【０００１】
【発明の属する技術分野】
本発明は、ストローを使用して飲料を飲む場合に適するボトルキャップ及びこれを取り付けてなる飲料用ボトルに関するものである。
【０００２】
【従来の技術】
飲料用ボトル（以下、本明細書において、単に「ペットボトル」とも言う。）は、例えば３５０ｍｌ、５００ｍｌ、１ｌおよび２ｌ等各種の容器サイズのものが流通している。このうち、特に３５０ｍｌや５００ｍｌサイズのものは、内容積が手頃であるため、持ち運びができて非常に便利である。従来、ペットボトルの形態としては、概ね図４に示すものが用いられている。該ペットボトルａは、ペットボトル本体ｂとペットボトル用のボトルキャップｃと飲み口ｄとからなる。３５０ｍｌ、５００ｍｌのペットボトル内の飲料を飲む際には、通常図４に示すように、ペットボトル本体ｂからボトルキャップｃを取りはずし、ペットボトルａの飲み口ｄからペットボトル本体ｂ内の飲料をラッパ飲みする。ペットボトルを持ち運ぶ際には、ペットボトル本体ｂにボトルキャップｃを取り付けて持ち運ぶとよい（不図示）。
【０００３】
しかし、口紅をしている女性が、ペットボトルａにより飲料を飲む際には、飲み口ｄに口紅がついてしまうのを避けながら飲料を飲む必要があるために、飲料が飲みづらいという問題があった。そのため、口紅をしている女性は、ストローを用いて飲料を飲むことが多い。
【０００４】
ところが、ストローを用いて飲料を飲む場合においては、ストローが、飲み口ｄを経て、ペットボトル本体ｂの内部に落ち込んでしまうことがある。このため、一方の手でペットボトルを持ち、他方の手の指でストローを持つことになり、両手が取られて不便である。また、この種のサイズのペットボトルは、幾度かに分けて飲むため、飲み干すまではキャップを捨てることができず、一度外したキャップの取り扱いがやっかいである。
【０００５】
近年、ペットボトル用に工夫されたストローや、ストロー付きのキャップなど多種多様のものが提案されている。しかしながら、これらペットボトル用に工夫されたストローや、ストロー付きキャップは別売されているため、別途購入する必要がある。また、ストロー付きキャップの場合、ストローの飲み口が外付きであり、ペットボトルａを持ち歩く際に、飲料がストローから漏出しないようにするために、ペットボトルａとは別個に持ち歩かなければならなかったり、ストローの飲み口を汚さないように注意する必要がある等の問題点があった。
【０００６】
【発明が解決しようとする課題】
従って、本発明の目的は、ストローを取り付けることができ、ペットボトルと別売りではなく、且つペットボトルとは別個に持ち歩く必要のないボトルキャップおよびこれを取り付けてなる飲料用ペットボトルを提供することにある。
【０００７】
【課題を解決するための手段】
かかる状況において、本発明者らは、鋭意検討を行った結果、ボトルキャップの中側にストロー横架用の架橋部を設ければ、折り曲げ部を有するストローを該架橋部に取り付けることができ、ペットボトルと別売りではなく、且つペットボトルとは別個に持ち歩く必要のないこと等を見出し、本発明を完成するに至った。
【０００８】
すなわち、本発明（１）は、飲料用ボトルのボトルキャップであって、ボトルキャップ本体と、該ボトルキャップ本体の中側の天面に、該ボトルキャップをボトル本体に取り付けた際ボトル本体内に入り込むように取り付けられるストロー横架用の架橋部とを備えるボトルキャップを提供するものである。
また、本発明（２）は前記ストロー横架用の架橋部が、Ｕ字状である前記ボトルキャップを提供するものである。
【０００９】
また、本発明（３）は、前記ボトルキャップを取り付けてなる飲料用ボトルを提供するものである。
また、本発明（４）は、内容積が５００ｍｌのペットボトルである前記飲料用ボトルを提供するものである。
【００１０】
本発明によれば、飲む際はキャップの架橋部にストローを掛け、該ストローをボトル内に入れれば、キャップはストローの折り曲げ部とボトルの飲み口近傍に係り止めされると共に、ストローが中に落ちることを防止する。このため、キャップの取り扱いを気にすることなく、しかも片手でも飲むことができる。また、持ち歩く際は架橋部にストローを横架させたままストロー全体をボトルの中に入れ込み、キャップを締めれば、ストローをボトルの中に収納することができ、ペットボトルとは別個に持ち歩く必要がない。また、本発明によれば、ストロー横架用の架橋部がＵ字状であれば、ストローを横架しやすくなる。また、本発明によれば、キャップ本体の中側の天面に前記架橋部を設けるだけでよく、ボトル本体は従来のものでよいためコストの上昇を最小限に抑えることができる。また、折り曲げ部を有するストローは、一般的に使用されている一部が蛇腹状のものであればよく、利便性が高い。
【００１１】
【発明の実施の形態】
以下、本発明の実施の形態におけるボトルキャップを図１および図２を参照して説明する。図１は本発明の実施の形態におけるボトルキャップの一部を破断して示す斜視図である。図１中、ボトルキャップ１０は従来のボトルキャップの中側の天面部分にストロー横架用の架橋部１２を設けたものである。すなわち、ボトルキャップ１０は、ボトルキャップ本体１６と、ボトルキャップ本体１６の中側の天面１１に、ボトルキャップ１０をボトル本体に取り付けた際ボトル本体内に入り込むように取り付けられるストロー横架用の架橋部１２とを備える。ボトル本体１６は通常、中側の天面部分にボトル本体の飲み口の端部が当接するリング状のシール部１５を有するシール材１３が付設されているが、本例はこのシール材１３のシール部１５の内側部分１１ａに架橋部１２の両端部を固定するものである。図１中、符号１４は雌螺子部である。
【００１２】
架橋部１２は、折り曲げ部を有するストローが横架するものであれば、特に制限されず、本例では紐状の両端を天面の所定位置１３ａ、１３ｂに固定するもので、Ｕ字状の吊り下げ形態である。架橋部１２をボトルキャップの裏面に取り付ける方法としては、特に制限されないが、シール材１３を金型成形する際、該架橋部を一体的に成形する方法が好適である。従って、架橋部１２の素材としては、シール材１３と同じ材質のものが好適である。架橋部１２をボトルキャップの裏面にシール材とは別途に後付けする場合、架橋部１２の素材としては、特に制限されず、例えばシール材に用いる材質以外のシリコン系樹脂等も使用できる。
【００１３】
架橋部１２の形状は、紐状の両端を天面の所定位置１３ａ、１３ｂに固定する形態の場合、上記Ｕ字状以外に、半円形状、四角形状、Ｖ字形状、不定形状等のいずれのものであってもよい。また、紐状の一端を天面に固定し、該紐状の他端をリング状にしたいわゆる吊り輪状であってもよい。架橋部１２とボトルキャップの天面で形成される空間は、約６ｍｍ径のストローが横架できる程度のものであればよく、架橋部１２の下端がボトルキャップの本体の下端より若干下にでる程度のものが、出し入れが容易に行なえる共に、無用に長いものとならない点で好ましい。
【００１４】
次に、本発明の実施の形態における飲料用ボトルを説明する。本実施の形態における飲料用ボトルは、前記ボトルキャップを取り付けてなるものであり、図３に示す飲料用ボトルにおけるストローが無い状態のものである（図３中、飲料は減った状態であるが、販売時点ではボトル内の飲料は一杯である。）。飲料用ボトル２０は、５００ｍｌの飲料用ペットボトルが好ましい。３５０ｍｌの飲料用ボトルでは分けて飲む回数が少なく、本発明の効果を十分に発揮し難い。一方、１ｌの飲料用ボトルでは持ち運びが不便であると共に、このサイズ材に見合う折り曲げストローを別途に提供する必要があり不便である。５００ｍｌのペットボトルは一度飲みができず、何度かに分けしかも通常は１日のうちで飲むものであり、近年の商品および商品ラベルの多彩化もあり若者は持ち運び自在のグッズ感覚で使用している。このため本発明の中付きでストローを収納する飲料ボトルは、後述するように、口紅をしている女性であっても、飲み口への口紅の付着を気にすることなく飲むことができ、しかもファッション感覚で持ち運びができる点で極めて便利である。
【００１５】
次に本例の飲料ボトル２０の使用方法を図２および図３を参照して説明する。図２は飲料を飲む状態における飲料ボトルの概略図、図３は飲んだ後、持ち運び状態における飲料ボトルの概略図をそれぞれ示す。先ず購入した飲料ボトル２０のボトルキャップ１０を取り外し、ボトルキャップ１０の架橋部１２に折り曲げ部２５１を有するストロー２５を挿入し、折り曲げ部２５１近傍で引っ掛ける。次いでストロー２５をボトル内に入れ、ボトルキャップ１０をボトルの飲み口２２近傍に引っ掛ける（図２）。この状態であれば、飲料用ボトルは片手でも飲むことができる。また、ボトルキャップ１０は紛失することないためキャップの取り扱いを気にする必要がない。また、ボトルキャップ１０はストロー２５が中に落ちることを防止するストッパーの役目もする。また、口紅を付けた女性であっても、口を付けるのはストローであり口紅によるボトルの汚れを気にしなくてもよい。
【００１６】
飲んだ後に持ち運ぶ際、架橋部１２にストロー２５を横架した状態で、ストロー２５の全体をボトル本体２１の中に入れ込み、ボトルキャップ１０をボトル本体２１の飲み口２２に螺合により締めて蓋をし、ストロー２５をボトルキャップ１０の中に収納する（図３）。この状態は、従来のストローの口付け部が外側に出るいわゆる外付け方式とは異なり、中付け方式であるため、ペットボトルａを持ち歩く際に、飲料２９がストローから漏出することがなく、またストローの飲み口の汚れを気にする必要もない。また、本発明のボトルキャップ１０はペットボトルとは別個に持ち歩く必要がない。持ち歩く際、飲料ボトルの扱いが乱暴な場合、ボトル本体２１内のストロー２５が飲料２９で濡れることがあるが、再度飲む際、ボトルキャップ１０を外し、該ボトルキャップ１０をそのまま上方に持ち上げれば、手の指をストロー２５に触れることなく、ストロー２５の飲み口を外部に取り出せるためほとんど問題がない。本発明の飲料用ボトル２０は、口紅を付けた女性に好適なものであるが、ストローを使用することなく、ボトルの飲み口２２からでも直接ラッパ飲みできるため、男性にとっても違和感なく利用できる。
【００１７】
本発明の飲料ボトルを使用する際、必要となる折り曲げ部を有するストローとしては、特に制限されず、飲料用５００ｍｌのペットボトルに対応するものであれば、コンビニエンスストアのレジで貰えるストローがそのまま使用できる。ストローの折り曲げ部は、通常ストローの上方の所定の位置にある蛇腹状部である。このストローは図２に示す状態で、その下端がボトル本体２１の底面より若干上方の位置にくるものである。このため、この状態で飲料の全量をストローで飲み干すことはできないが、最後はストローの曲がりを直して真っ直ぐにして飲むか、またはボトルの飲み口２２から飲み干せばよい。この程度の残量は一度に飲み干す量であるため、最後はボトルの飲み口２２から飲み干し、例え口紅が付いたとしても後は捨てるだけであり問題はない。
【００１８】
【発明の効果】
本発明のボトルキャップによれば、ストローを取り付けることができ、ペットボトルと別売りではなく、且つペットボトルとは別個に持ち歩く必要がないという効果を奏する。また、本発明の飲料ボトルはキャップの中側に前記架橋部を設けるだけでよく、ボトル本体は従来のものでよくコストの上昇を最小限に抑えることができる。また、飲む際に使用するストローは、一般的に使用されている一部が蛇腹のものであればよく、利便性が高い。
【図面の簡単な説明】
【図１】本発明の実施の形態におけるボトルキャップの一部を破断して示す概略図である。
【図２】本発明の実施の形態における飲料ボトルの飲む状態にある概略図である。
【図３】本発明の実施の形態における飲料ボトルの持ち運び状態にある概略図である。
【図４】従来のペットボトルのす概略図である。
【符号の説明】
１０、ｃ　　ボトルキャップ
１１　　　　ボトルキャップ本体の中側の天面
１２　　　　ストローを横架するための架橋部
１３　　　　シール材
１４　　　　雌螺子部
１５　　　　シール部
１６　　　　ボトルキャップ本体
２０、ａ　　飲料ボトル
２１、ｂ　　　　ボトル本体
２２、ｄ　　　　ボトルの飲み口
２５　　　　ストロー
２９　　　　飲料
２５１　　　折り曲げ部
【図１】
2004099051.tif 000003
【図２】
2004099051.tif 000004
【図３】
2004099051.tif 000005
【図４】
2004099051.tif 000006